(57)【要約】【課題】ベースプレートをラジエータサポートに固定した後に操作ケーブルを組み付けることができるフードロック装置の操作ケーブル組付構造及びフードロック装置の操作ケーブル組付方法を得る。【解決手段】ベースプレート２４は、第一係止部４０Ａに連通して操作ケーブル１４のアウタ部材１４Ｃを第一係止部４０Ａへ通すための通し部４０Ｂがラジエータサポート１２側とは反対側へ向けて開口しており、ポール４２の第二係止部５０Ａは、ラジエータサポート１２側とは反対側へ向けて開口している。このため、操作ケーブル１４の組付時には、操作ケーブル１４の先端係止部１４Ｂを第二係止部５０Ａとの係止位置に配置してから、操作ケーブル１４を第二係止部５０Ａの開口内及び通し部４０Ｂの開口内へ通し、操作ケーブル１４のアウタ部材１４Ｃを第一係止部４０Ａへ係止させることができる。【選択図】図１
2010275725.tif 000002
【特許請求の範囲】
【請求項１】
ラジエータサポートに固定され、側部に操作ケーブルのアウタ部材が係止される第一係止部を備えると共に、前記第一係止部に連通して前記操作ケーブルのアウタ部材を前記第一係止部へ通すための通し部が前記ラジエータサポート側とは反対側へ向けて開口するベースプレートと、
前記ベースプレートの前記ラジエータサポートとの対向面側に回転可能に固定され、前記操作ケーブルの先端係止部が係止される第二係止部を備えると共に、前記第二係止部が前記操作ケーブルの挿通用として装置幅方向に貫通しかつ前記ラジエータサポート側とは反対側へ向けて開口するポールと、
を有するフードロック装置の操作ケーブル組付構造。
【請求項２】
前記ポールは、前記第二係止部が前記操作ケーブルの先端係止部を係止させた状態で前記先端係止部の前記ラジエータサポート側とは反対側の部位を受ける受部を備えている請求項１記載のフードロック装置の操作ケーブル組付構造。
【請求項３】
前記ポールは、前記受部から前記第二係止部側とは反対側へ延設されたリブを備えている請求項２記載のフードロック装置の操作ケーブル組付構造。
【請求項４】
前記第二係止部は、前記ベースプレートの前記ラジエータサポート側とは反対側から見て前記ベースプレートの下方側に位置している請求項１〜請求項３のいずれか一項に記載のフードロック装置の操作ケーブル組付構造。
【請求項５】
前記第二係止部から前記ラジエータサポート側とは反対側へ延設部が延設されると共に、前記延設部の先端が前記ベースプレートに対して前記ラジエータサポート側とは反対側に突出している請求項１〜請求項４のいずれか一項に記載のフードロック装置の操作ケーブル組付構造。
【請求項６】
前記ベースプレートは、前記操作ケーブルの先端係止部側を前記第二係止部の下方側から前記第二係止部側へ案内可能なガイド部を備えている請求項１〜請求項５のいずれか一項に記載のフードロック装置の操作ケーブル組付構造。
【請求項７】
ラジエータサポートに固定され、側部に操作ケーブルのアウタ部材が係止される第一係止部を備えると共に、前記第一係止部に連通して前記操作ケーブルのアウタ部材を前記第一係止部へ通すための通し部が前記ラジエータサポート側とは反対側へ向けて開口するベースプレートと、前記ベースプレートの前記ラジエータサポートとの対向面側に回転可能に固定され、前記操作ケーブルの先端係止部が係止される第二係止部を備えると共に、前記第二係止部が前記操作ケーブルの挿通用として装置幅方向に貫通しかつ前記ラジエータサポート側とは反対側へ向けて開口するポールと、を備えるフードロック装置の操作ケーブルの組付けに適用されるフードロック装置の操作ケーブル組付方法であって、
前記操作ケーブルの先端係止部を前記第二係止部との係止位置に配置する第一工程と、
前記操作ケーブルを前記第二係止部の開口内及び前記通し部の開口内へ通し、前記操作ケーブルのアウタ部材を前記第一係止部に係止する第二工程と、
を有するフードロック装置の操作ケーブル組付方法。
【発明の詳細な説明】
【技術分野】
【０００１】
本発明は、フードロック装置の操作ケーブル組付構造及びフードロック装置の操作ケーブル組付方法に関する。
【背景技術】
【０００２】
車両のフードロック装置においては、ロッキングレバー（ポール）の先端にケーブルワイヤ（操作ケーブル）の先端係止部が係止されている（例えば、特許文献１参照）。このような係止構造は、フードロック装置のベースプレートとラジエータサポートとの間に設けられ、ベースプレートをラジエータサポートに締結させる前にケーブルワイヤをロッキングレバー側に係止させる構造となっている。
【先行技術文献】
【特許文献】
【０００３】
【特許文献１】特開平７−２６９２０１号公報
【発明の概要】
【発明が解決しようとする課題】
【０００４】
しかしながら、このような構造では、ベースプレートをラジエータサポートに締結した後にケーブルワイヤを組み付けることができないので、ケーブルワイヤの組付作業性が良くない。
【０００５】
本発明は、上記事実を考慮して、ベースプレートをラジエータサポートに固定した後に操作ケーブルを組み付けることができるフードロック装置の操作ケーブル組付構造及びフードロック装置の操作ケーブル組付方法を得ることが目的である。
【課題を解決するための手段】
【０００６】
請求項１に記載する本発明のフードロック装置の操作ケーブル組付構造は、ラジエータサポートに固定され、側部に操作ケーブルのアウタ部材が係止される第一係止部を備えると共に、前記第一係止部に連通して前記操作ケーブルのアウタ部材を前記第一係止部へ通すための通し部が前記ラジエータサポート側とは反対側へ向けて開口するベースプレートと、前記ベースプレートの前記ラジエータサポートとの対向面側に回転可能に固定され、前記操作ケーブルの先端係止部が係止される第二係止部を備えると共に、前記第二係止部が前記操作ケーブルの挿通用として装置幅方向に貫通しかつ前記ラジエータサポート側とは反対側へ向けて開口するポールと、を有する。
【０００７】
請求項１に記載する本発明のフードロック装置の操作ケーブル組付構造によれば、ベースプレートは、ラジエータサポートに固定されており、ベースプレートの側部における第一係止部には、操作ケーブルのアウタ部材が係止される。これに対して、ベースプレートのラジエータサポートとの対向面側には、ポールが回転可能に固定されており、このポールの第二係止部には、操作ケーブルの先端係止部が係止される。
【０００８】
ここで、ベースプレートは、第一係止部に連通して操作ケーブルのアウタ部材を第一係止部へ通すための通し部がラジエータサポート側とは反対側へ向けて開口しており、ポールの第二係止部は、操作ケーブルの挿通用として装置幅方向に貫通しかつラジエータサポート側とは反対側へ向けて開口している。このため、操作ケーブルの組付時には、ベースプレートをラジエータサポートに固定した後であっても、操作ケーブルの先端係止部を第二係止部との係止位置に配置してから、操作ケーブルを第二係止部の開口内及び通し部の開口内へ通し、操作ケーブルのアウタ部材を第一係止部へ係止させることができる。
【０００９】
請求項２に記載する本発明のフードロック装置の操作ケーブル組付構造は、請求項１記載の構成において、前記ポールは、前記第二係止部が前記操作ケーブルの先端係止部を係止させた状態で前記先端係止部の前記ラジエータサポート側とは反対側の部位を受ける受部を備えている。
【００１０】
請求項２に記載する本発明のフードロック装置の操作ケーブル組付構造によれば、ポールは、第二係止部が操作ケーブルの先端係止部を係止させた状態で、受部が操作ケーブルの先端係止部のラジエータサポート側とは反対側の部位を受ける。このため、操作ケーブルの先端係止部は、第二係止部及び受部によって保持される。
【００１１】
請求項３に記載する本発明のフードロック装置の操作ケーブル組付構造は、請求項２記載の構成において、前記ポールは、前記受部から前記第二係止部側とは反対側へ延設されたリブを備えている。
【００１２】
請求項３に記載する本発明のフードロック装置の操作ケーブル組付構造によれば、ポールのリブは、受部から第二係止部側とは反対側へ延設されている。このため、操作ケーブルの組付時には、受部を挟んで第二係止部側とは反対側へ操作ケーブルの先端係止部側が誤って通されるといった誤組付が、リブによって防止又は抑制される。
【００１３】
請求項４に記載する本発明のフードロック装置の操作ケーブル組付構造は、請求項１〜請求項３のいずれか一項に記載の構成において、前記第二係止部は、前記ベースプレートの前記ラジエータサポート側とは反対側から見て前記ベースプレートの下方側に位置している。
【００１４】
請求項４に記載する本発明のフードロック装置の操作ケーブル組付構造によれば、ポールの第二係止部は、ベースプレートのラジエータサポート側とは反対側から見てベースプレートの下方側に位置している。このため、操作ケーブルの組付時には、操作ケーブルの先端係止部がポールの第二係止部側へ容易に配置される。
【００１５】
請求項５に記載する本発明のフードロック装置の操作ケーブル組付構造は、請求項１〜請求項４のいずれか一項に記載の構成において、前記第二係止部から前記ラジエータサポート側とは反対側へ延設部が延設されると共に、前記延設部の先端が前記ベースプレートに対して前記ラジエータサポート側とは反対側に突出している。
【００１６】
請求項５に記載する本発明のフードロック装置の操作ケーブル組付構造によれば、第二係止部からラジエータサポート側とは反対側へ延設部が延設されると共に、延設部の先端がベースプレートに対してラジエータサポート側とは反対側に突出している。このため、操作ケーブルの組付時には、ポールの第二係止部の位置が組付作業者によって容易に認識される。
【００１７】
請求項６に記載する本発明のフードロック装置の操作ケーブル組付構造は、請求項１〜請求項５のいずれか一項に記載の構成において、前記ベースプレートは、前記操作ケーブルの先端係止部側を前記第二係止部の下方側から前記第二係止部側へ案内可能なガイド部を備えている。
【００１８】
請求項６に記載する本発明のフードロック装置の操作ケーブル組付構造によれば、ベースプレートのガイド部は、操作ケーブルの先端係止部側を第二係止部の下方側から第二係止部側へ案内可能となっている。このため、操作ケーブルの組付時には、ベースプレートのガイド部によって、操作ケーブルの先端係止部側が第二係止部の下方側から第二係止部側へ案内される。
【００１９】
請求項７に記載する本発明のフードロック装置の操作ケーブル組付方法は、ラジエータサポートに固定され、側部に操作ケーブルのアウタ部材が係止される第一係止部を備えると共に、前記第一係止部に連通して前記操作ケーブルのアウタ部材を前記第一係止部へ通すための通し部が前記ラジエータサポート側とは反対側へ向けて開口するベースプレートと、前記ベースプレートの前記ラジエータサポートとの対向面側に回転可能に固定され、前記操作ケーブルの先端係止部が係止される第二係止部を備えると共に、前記第二係止部が前記操作ケーブルの挿通用として装置幅方向に貫通しかつ前記ラジエータサポート側とは反対側へ向けて開口するポールと、を備えるフードロック装置の操作ケーブルの組付けに適用されるフードロック装置の操作ケーブル組付方法であって、前記操作ケーブルの先端係止部を前記第二係止部との係止位置に配置する第一工程と、前記操作ケーブルを前記第二係止部の開口内及び前記通し部の開口内へ通し、前記操作ケーブルのアウタ部材を前記第一係止部に係止する第二工程と、を有する。
【００２０】
請求項７に記載する本発明のフードロック装置の操作ケーブル組付方法によれば、ラジエータサポートに固定され、側部に操作ケーブルのアウタ部材が係止される第一係止部を備えると共に、第一係止部に連通して操作ケーブルのアウタ部材を第一係止部へ通すための通し部がラジエータサポート側とは反対側へ向けて開口するベースプレートと、ベースプレートのラジエータサポートとの対向面側に回転可能に固定され、操作ケーブルの先端係止部が係止される第二係止部を備えると共に、第二係止部が操作ケーブルの挿通用として装置幅方向に貫通しかつラジエータサポート側とは反対側へ向けて開口するポールと、を備えるフードロック装置の操作ケーブルの組付けに、本発明のフードロック装置の操作ケーブル組付方法が適用される。第一工程では、操作ケーブルの先端係止部をポールの第二係止部との係止位置に配置する。第二工程では、操作ケーブルを第二係止部の開口内及び通し部の開口内へ通し、操作ケーブルのアウタ部材を第一係止部に係止する。このため、ベースプレートをラジエータサポートに固定した後に操作ケーブルを組み付けることができる。
【発明の効果】
【００２１】
以上説明したように、本発明に係る請求項１に記載のフードロック装置の操作ケーブル組付構造によれば、ベースプレートをラジエータサポートに固定した後に操作ケーブルを組み付けることができるという優れた効果を有する。
【００２２】
請求項２に記載のフードロック装置の操作ケーブル組付構造によれば、操作ケーブルの先端係止部を第二係止部及び受部によって保持することができるという優れた効果を有する。
【００２３】
請求項３に記載のフードロック装置の操作ケーブル組付構造によれば、操作ケーブルの組付時には、受部を挟んで第二係止部側とは反対側へ操作ケーブルの先端係止部側が誤って通されるといった誤組付を、リブによって防止又は抑制することができるという優れた効果を有する。
【００２４】
請求項４に記載のフードロック装置の操作ケーブル組付構造によれば、操作ケーブルの組付時には、操作ケーブルの先端係止部をポールの第二係止部側へ容易に配置することができるという優れた効果を有する。
【００２５】
請求項５に記載のフードロック装置の操作ケーブル組付構造によれば、操作ケーブルの組付時に、組付作業者は、ポールの第二係止部の位置を容易に認識することができるという優れた効果を有する。
【００２６】
請求項６に記載のフードロック装置の操作ケーブル組付構造によれば、操作ケーブルの組付時には、ベースプレートのガイド部によって、操作ケーブルの先端係止部側が第二係止部の下方側から第二係止部側へ案内されるので、操作ケーブルの組付性を向上することができるという優れた効果を有する。
【００２７】
請求項７に記載のフードロック装置の操作ケーブル組付方法によれば、ベースプレートをラジエータサポートに固定した後に操作ケーブルを組み付けることができるという優れた効果を有する。
【図面の簡単な説明】
【００２８】
【図１】本発明の第１の実施形態に係るフードロック装置の操作ケーブル組付構造を示す斜視図である。
【図２】本発明の第１の実施形態に係るフードロック装置の操作ケーブル組付構造を示す正面図である。
【図３】本発明の第１の実施形態に係るフードロック装置の操作ケーブル組付構造を示す平面図である。
【図４】本発明の第１の実施形態に係るフードロック装置の操作ケーブル組付構造に適用されるポールを示す正面図である。
【図５】本発明の第１の実施形態に係るフードロック装置の操作ケーブル組付構造に適用されるポールを示す側面図である。
【図６】本発明の第１の実施形態に係るフードロック装置の操作ケーブル組付方法を説明するための斜視図である。図６（Ａ）は、操作ケーブルの先端係止部がポールの第二係止部との係止位置の車両下方側に配置された状態を示す。図６（Ｂ）は、第一工程が完了した状態を示す。図６（Ｃ）は、第二工程が完了した状態を示す。
【図７】本発明の第２の実施形態に係るフードロック装置の操作ケーブル組付構造を示す斜視図である。
【発明を実施するための形態】
【００２９】
［第１実施形態］
本発明の第１の実施形態に係るフードロック装置の操作ケーブル組付構造及びフードロック装置の操作ケーブル組付方法について図１〜図６を用いて説明する。なお、これらの図において適宜示される矢印ＦＲはフードロック装置２０が組み付けられた状態での車両前方側を示しており、矢印ＵＰはフードロック装置２０が組み付けられた状態での車両上方側を示しており、矢印Ｗはフードロック装置２０が組み付けられた状態での車両幅方向を示している。
【００３０】
図１に示されるフードロック装置２０は、エンジンルーム１０を開閉可能に覆うフード（図示省略）のロック用とされ、車両前端部においてラジエータサポート１２の上部を構成するラジエータサポートアッパ１２Ａに固定されている。なお、図１に示すフードロック装置２０では、操作ケーブル組付構造２２と直接関係しないフードロック機構部の大部分の図示を省略している。
【００３１】
図１及び図２に示されるように、フードロック装置２０は、車両正面視で略十字形状に形成された板状のベースプレート２４を備えている。ベースプレート２４の幅方向中央側を構成する本体部２６は、一般面が車両上下方向及び車両幅方向を含む面を面方向として配置されている。本体部２６の幅方向中央部には、フード（図示省略）側のストライカ（図示省略）を入り込ませるための切欠部２６Ａが形成されている。この切欠部２６Ａは、ベースプレート２４の上端で開口すると共に略車両上下方向に沿って長手方向とされ、ベースプレート２４の厚さ方向に貫通して形成されている。
【００３２】
また、ベースプレート２４は、車両幅方向の両側が車両前方側に略直角に屈曲された側壁部２８、３０（図１参照）を備えると共に、側壁部２８、３０の車両前方側の端部からは互いに離反する方向へ延設された取付片３２、３４が設けられている。また、ベースプレート２４は、車両下方側が車両前方側に略直角に屈曲された下壁部３６（図１参照）を備えると共に、下壁部３６の車両前方側の端部からは車両下方側へ延設された取付片３８が設けられている。
【００３３】
ベースプレート２４の取付片３２、３４、３８には、ボルト挿通孔３２Ａ、３４Ａ、３８Ａが貫通形成されている。ボルト挿通孔３２Ａ、３４Ａ、３８Ａには、ボルト（図示省略）が挿通され、当該ボルトの先端側がラジエータサポート１２のラジエータサポートアッパ１２Ａ側のナット（図示省略）で螺合されることによって、ベースプレート２４がラジエータサポートアッパ１２Ａ（ラジエータサポート１２）に固定されている。
【００３４】
図１に示されるように、ベースプレート２４の側壁部３０の下部には、ラジエータサポート１２のラジエータサポートアッパ１２Ａ側とは反対側（車両後方側）から直線状に切り欠かれた切欠部４０が車両前後方向を長手方向として形成されている。側部としての側壁部３０は、操作ケーブル１４（「フードロックケーブル」、「フードオープナケーブル」等ともいう）のアウタ部材１４Ｃが係止される第一係止部４０Ａを切欠部４０の反開口側に備えると共に、切欠部４０の開口側においては第一係止部４０Ａに連通して操作ケーブル１４のアウタ部材１４Ｃを第一係止部４０Ａへ通すための通し部４０Ｂがラジエータサポートアッパ１２Ａ（ラジエータサポート１２）側とは反対側へ向けて開口している。
【００３５】
操作ケーブル１４は、ワイヤを備えたケーブル本体１４Ａと、ケーブル本体１４Ａの先端部に設けられた球状の先端係止部１４Ｂと、先端係止部１４Ｂから若干離れてケーブル本体１４Ａの外周側に設けられたアウタ部材１４Ｃと、を備えており、アウタ部材１４Ｃは、外周部に第一係止部４０Ａへの係止用とされる係止溝１１４Ｃが形成されている。また、操作ケーブル１４の図示しない基端側は、例えば、車室内に設けられたフードオープナノブに直接又は間接的に連結されている。
【００３６】
ベースプレート２４の本体部２６におけるラジエータサポートアッパ１２Ａ（ラジエータサポート１２）との対向面２６Ｂ側には、ポール４２（「パウル」、「ロッキングレバー」ともいう。）が回転可能に固定されている。より具体的には、ポール４２は、レバー状とされ、その基部４４がピン４６によって車両前後方向に貫通されてベースプレート２４に対して（ピン４６回りに）回転移動可能に取り付けられている。
【００３７】
ポール４２の側部には、係合凹部４８が形成されている。この係合凹部４８は、フードロック装置２０における図示しないラッチの係合凸部と係合（嵌合）可能とされて当該ラッチの保持用とされている。なお、前記ラッチは、図示しないフード側に設けられたストライカと係合してストライカを保持するロック位置とストライカと係合しない非ロック位置との間で回転移動可能とされている。また、ポール４２は、ロック位置にある前記ラッチを保持する位置方向（図１では、ピン４６を中心とした反時計回り方向に回転移動する方向）へスプリング（図示省略）によって常に付勢されている。
【００３８】
また、ポール４２の下部は、二股状とされており、車両正面視で左側（側壁部３０側）には、湾曲片状の第一脚部５０が形成されている。図１に示されるように、第一脚部５０は、ラジエータサポートアッパ１２Ａ側に曲げられると共にラジエータサポートアッパ１２Ａ側とは反対側に折り返されており、図５に示されるポール４２の側面視で車両後方側（ラジエータサポートアッパ１２Ａ（図１参照）側とは反対側）へ向けて開口したＪ字形状に形成されている。
【００３９】
図１に示されるように、第一脚部５０における折返部側は、操作ケーブル１４の先端係止部１４Ｂが係止される第二係止部５０Ａとされている。第二係止部５０Ａは、操作ケーブル１４の挿通用として装置幅方向に貫通しかつラジエータサポートアッパ１２Ａ（ラジエータサポート１２）側とは反対側へ向けて開口しており、ベースプレート２４のラジエータサポートアッパ１２Ａ（ラジエータサポート１２）側とは反対側から見てベースプレート２４の下方側に位置している。また、第二係止部５０Ａに操作ケーブル１４の先端係止部１４Ｂが係止された状態では、第二係止部５０Ａの側面に先端係止部１４Ｂが接すると共に、第二係止部５０Ａの折返部内にケーブル本体１４Ａが通されている。
【００４０】
また、図１及び図３（フードロック装置２０の平面図）に示されるように、第一脚部５０において、第二係止部５０Ａからラジエータサポートアッパ１２Ａ（ラジエータサポート１２）側とは反対側へ延設された延設部５０Ｂの先端がベースプレート２４に対してラジエータサポートアッパ１２Ａ（ラジエータサポート１２）側とは反対側に突出している。なお、延設部５０Ｂの先端を視認しやすくするために、延設部５０Ｂの先端（又は延設部５０Ｂの先端を含むポール４２全体）の色とベースプレート２４の色とが異なる色に設定されてもよい。
【００４１】
図１に示されるように、二股状とされたポール４２の下部において、車両正面視で第一脚部５０の右側側方には、車両正面視で略Ｃ字形状とされた第二脚部５２が形成されている。第二脚部５２の中間部で第一脚部５０側に接近した部位は、第二係止部５０Ａが操作ケーブル１４の先端係止部１４Ｂを係止させた状態で先端係止部１４Ｂのラジエータサポートアッパ１２Ａ（ラジエータサポート１２）側とは反対側の部位を受ける受部５２Ａとされている。
【００４２】
また、図１及び図４（ポール４２の正面図）に示されるように、第二脚部５２の先端部は、受部５２Ａから第二係止部５０Ａ側とは反対側へ延設されたリブ５２Ｂとされている。このリブ５２Ｂは、正面視でポール基端側からポール先端側へ向けて第二係止部５０Ａ側とは反対側へ傾斜している。
【００４３】
また、図１に示されるように、ベースプレート２４の取付片３８において、リブ５２Ｂの近傍となる側端面には、略車両上下方向に延在するガイド部３８Ｂが形成されている。このガイド部３８Ｂは、操作ケーブル１４の先端係止部１４Ｂ側を第二係止部５０Ａの下方側から第二係止部５０Ａ側へ（換言すれば、概ね第二係止部５０Ａの近傍へ向けて）案内可能とされている。
【００４４】
（操作ケーブル組付方法及び作用・効果）
次に、フードロック装置２０の操作ケーブル１４の組付けに適用されるフードロック装置２０の操作ケーブル組付方法について図６を参照しながら説明すると共に、上記実施形態の作用及び効果について説明する。なお、本実施形態では、フードロック装置２０のベースプレート２４がラジエータサポート１２に固定された状態で操作ケーブル１４が組み付けられる場合を説明する。
【００４５】
図６（Ａ）に示されるように、まず、組付作業者は、操作ケーブル１４の先端係止部１４Ｂをケーブル本体１４Ａの車両前方側へ向けた状態でポール４２の第二係止部５０Ａとの係止位置の車両下方側に配置する。
【００４６】
ここで、ポール４２の第二係止部５０Ａからラジエータサポート１２側とは反対側へ延設された延設部５０Ｂの先端が、ベースプレート２４に対してラジエータサポート１２側とは反対側に突出している（図３参照）ので、組付作業者は、ポール４２の第二係止部５０Ａの位置（操作ケーブル１４の組付位置）を容易に認識することができる。
【００４７】
次に、組付作業者が操作ケーブル１４の先端係止部１４Ｂ側をベースプレート２４のガイド部３８Ｂに沿わせて上方側へ持ち上げると、操作ケーブル１４の先端係止部１４Ｂ側は、ガイド部３８Ｂによって第二係止部５０Ａの下方側から第二係止部５０Ａ側へ案内される。また、ポール４２のリブ５２Ｂが受部５２Ａから第二係止部５０Ａ側とは反対側へ延設されているので、受部５２Ａを挟んで第二係止部５０Ａ側とは反対側へ操作ケーブル１４の先端係止部１４Ｂ側が誤って通されるといった誤組付が、リブ５２Ｂによって防止又は抑制される。さらに、ポール４２の第二係止部５０Ａがベースプレート２４のラジエータサポート１２側とは反対側から見てベースプレート２４の下方側に位置しているので、組付作業者は、操作ケーブル１４の先端係止部１４Ｂをポール４２の第二係止部５０Ａ側（係止位置）に容易に配置することができる。
【００４８】
これらにより、組付作業者は、図６（Ｂ）に示されるように、操作ケーブル１４の先端係止部１４Ｂをポール４２の第二係止部５０Ａとの係止位置に配置する（第一工程）。
【００４９】
次に、組付作業者は、操作ケーブル１４を先端係止部１４Ｂの係止位置回りに回転させるようにして、図６（Ｃ）に示されるように、操作ケーブル１４を第二係止部５０Ａの開口内及び通し部４０Ｂの開口内へ通し、操作ケーブル１４のアウタ部材１４Ｃを第一係止部４０Ａに係止する（第二工程）。これにより操作ケーブル１４を先端係止部１４Ｂがポール４２の第二係止部５０Ａに係止される。
【００５０】
以上のようにベースプレート２４がラジエータサポート１２に固定された後に組付作業者が操作ケーブル１４を組み付けられるのは、ベースプレート２４において第一係止部４０Ａに連通して操作ケーブル１４のアウタ部材１４Ｃを第一係止部４０Ａへ通すための通し部４０Ｂがラジエータサポート１２側とは反対側へ向けて開口すると共に、ポール４２の第二係止部５０Ａが操作ケーブル１４の挿通用として装置幅方向に貫通しかつラジエータサポート１２側とは反対側へ向けて開口しているからである。
【００５１】
また、ポール４２は、第二係止部５０Ａが操作ケーブル１４の先端係止部１４Ｂを係止させた状態で、受部５２Ａが操作ケーブル１４の先端係止部１４Ｂのラジエータサポート１２側とは反対側の部位を受ける。このため、操作ケーブル１４の先端係止部１４Ｂは、第二係止部５０Ａ及び受部５２Ａによって保持される。また、操作ケーブル１４の先端係止部１４Ｂがラジエータサポート１２側とは反対側へ抜けるのを受部５２Ａによって阻止（防止又は抑制）できる。
【００５２】
以上説明したように、本実施形態に係るフードロック装置２０の操作ケーブル組付構造２２及びフードロック装置２０の操作ケーブル組付方法によれば、ベースプレート２４をラジエータサポート１２に固定した後に操作ケーブル１４を組み付けることができる。換言すれば、操作ケーブル１４の組付性が向上する。
【００５３】
ここで、対比構造と比較しながら補足説明すると、例えば、ベースプレートの側壁部の下部でラジエータサポート側へ延出された部位に形成されてかつ操作ケーブルのアウタ部材を当該ベースプレートの係止部へ通すための通し部位が上方側のみに向けて開口すると共に、操作ケーブルの先端係止部を係止するためのポールの係止部がラジエータサポート側へ向けて開口している対比構造では、作業スペースの確保や視認性の確保等のために、ベースプレートをラジエータサポートに締結していない状態で操作ケーブルの組付けや取外しをなければならない。これに対して、本実施形態に係るフードロック装置２０の操作ケーブル組付構造２２では、このような制約がない。つまり、本実施形態に係るフードロック装置２０の操作ケーブル組付構造２２では、作業順序の自由化（作業順序の選択可能化）を実現できる。
【００５４】
また、前記対比構造では、フードロック装置のベースプレートをラジエータサポートに締結する前でないと操作ケーブルを組み付けられないので、例えば、ラジエータサポートの車両後方側にベースプレートを配置する構成の場合、ラジエータサポートを車両に組み付けた後、組付作業者は、操作ケーブルが組み付けられたフードロック装置のベースプレートを、体を捻ってラジエータサポートに締結する必要がある。これに対して、本実施形態に係るフードロック装置２０の操作ケーブル組付構造２２では、フードロック装置２０のベースプレート２４をラジエータサポート１２に締結してユニット化（ＡＳＳＹ化）してから当該ラジエータサポート１２を車両に組み付け、その後に操作ケーブル１４を組み付けることが可能になり（フロントエンドモジュール化）、作業姿勢が改善される。
【００５５】
また、前記対比構造では、エンジンルーム内の修理の際に、車両からラジエータサポートを外す必要がある場合、操作ケーブルを外すためにフードロック装置のベースプレートをラジエータサポートから外す必要がある。これに対して、本実施形態に係るフードロック装置２０の操作ケーブル組付構造２２では、エンジンルーム１０内の修理の際に、車両からラジエータサポート１２を外す必要があっても、フードロック装置２０のベースプレート２４がラジエータサポート１２に締結された状態で操作ケーブル１４を外せるので、ラジエータサポート１２からフードロック装置２０のベースプレート２４を外さないで車両からラジエータサポート１２を外すことができる。
【００５６】
［第２実施形態］
次に、本発明の第２の実施形態に係るフードロック装置６０の操作ケーブル組付構造６２及びフードロック装置６０の操作ケーブル組付方法について、図７を用いて説明する。図７には、本発明の第２の実施形態に係るフードロック装置６０の操作ケーブル組付構造６２が斜視図（第１の実施形態における図１に相当する斜視図）にて示されている。
【００５７】
この図に示されるように、フードロック装置６０の操作ケーブル組付構造６２は、第一係止部４０Ａ（図１参照）に代えて、上方側へ向けて開口した第一係止部６４Ａを備える点で、第１の実施形態に係るフードロック装置２０の操作ケーブル組付構造２２（図１参照）とは異なる。他の構成は、第１の実施形態とほぼ同様の構成となっている。よって、第１の実施形態と実質的に同様の構成部については、同一符号を付して説明を省略する。なお、フードロック装置６０は、以下に記載する点を除き、第１の実施形態におけるフードロック装置２０（図１参照）と同様の構成である。
【００５８】
図７に示されるように、ベースプレート２４の側壁部３０の下部には、ラジエータサポート１２のラジエータサポートアッパ１２Ａ側とは反対側（車両後方側）から略Ｔ字状に切り欠かれた切欠部６４が形成されている。側壁部３０は、操作ケーブル１４のアウタ部材１４Ｃが係止される第一係止部６４Ａを切欠部６４のＴ字形状下部側に備えると共に、切欠部６４の開口側においては操作ケーブル１４のアウタ部材１４Ｃを第一係止部６４Ａへ通すための通し部６４Ｂがラジエータサポート１２（ラジエータサポートアッパ１２Ａ）側とは反対側へ向けて開口している。なお、側壁部３０には、切欠部６４に代えて、第一係止部６４Ａと同様の形状及び通し部６４Ｂと同様の形状を備えて屈曲状（側面視で上下逆向きの略Ｌ字状）に切り欠かれた切欠部が形成されてもよい。
【００５９】
また、フードロック装置６０の操作ケーブル組付方法としては、第二工程において、組付作業者は、操作ケーブル１４を第二係止部５０Ａの開口内及び通し部６４Ｂの開口内へ通し、操作ケーブル１４のアウタ部材１４Ｃを第一係止部６４Ａに係止する。他の点は、第１の実施形態の場合と同様である。
【００６０】
上記構成によっても、前述した第１実施形態と同様の作用及び効果が得られる。
【００６１】
［実施形態の補足説明］
なお、上記実施形態では、ポール４２が第二脚部５２に受部５２Ａを備えており、操作ケーブル１４の先端係止部１４Ｂをより安定的に保持する観点からはこのような構成が好ましいが、ポールは、例えば、受部５２Ａの代わりに第一脚部５０にて第二係止部５０Ａの開口側を狭く設定することで、ケーブル本体１４Ａの先端側をラジエータサポートアッパ１２Ａ側とは反対側へ抜けにくくしてもよい。
【００６２】
また、上記実施形態では、ポール４２が第二脚部５２にリブ５２Ｂを備えており、誤組付を防止又は抑制する観点からはこのような構成が好ましいが、ポールはリブを備えない構成であってもよい。
【００６３】
また、上記実施形態では、ポール４２の第二係止部５０Ａは、ベースプレート２４のラジエータサポート１２側とは反対側から見てベースプレート２４の下方側に位置しており、操作ケーブル１４の先端係止部１４Ｂをポール４２の第二係止部５０Ａ側へ容易に配置するためにはこのような構成が好ましいが、ポールの第二係止部は、ベースプレートのラジエータサポート側とは反対側から見て、例えば、ベースプレートよりも僅かに上方側に位置している等、ベースプレートの下方側に位置していなくてもよい。
【００６４】
さらに、上記実施形態では、ポール４２における延設部５０Ｂの先端がベースプレート２４に対してラジエータサポート１２側とは反対側に突出しており、組付作業者がポール４２の第二係止部５０Ａの位置を容易に認識できるようにするためにはこのような構成が好ましいが、ポールにこのような延設部が設けられていなくてもよい。
【００６５】
さらにまた、上記実施形態では、ベースプレート２４は、操作ケーブル１４の先端係止部１４Ｂ側を第二係止部５０Ａの下方側から第二係止部５０Ａ側へ案内可能なガイド部３８Ｂを備えており、操作ケーブル１４の組付性向上の観点からはこのような構成が好ましいが、ベースプレートはこのようなガイド部を備えていなくてもよい。
【００６６】
なお、上記実施形態では、ベースプレート２４がラジエータサポートアッパ１２Ａの車両後方側に配設されているが、ベースプレートはラジエータサポートアッパの車両前方側に配設されていてもよい。
【００６７】
また、上記実施形態では、操作ケーブル１４の先端係止部１４Ｂが球状とされているが、操作ケーブルの先端係止部は、例えば、円柱状等のような他の形状の先端係止部であってもよい。
【符号の説明】
【００６８】
１２    ラジエータサポート
１４    操作ケーブル
１４Ｂ  先端係止部
１４Ｃ  アウタ部材
２０    フードロック装置
２２    操作ケーブル組付構造
２４    ベースプレート
２６Ｂ  対向面
３０    側壁部（側部）
３８Ｂ  ガイド部
４０Ａ  第一係止部
４０Ｂ  通し部
４２    ポール
５０Ａ  第二係止部
５０Ｂ  延設部
５２Ａ  受部
５２Ｂ  リブ
６０    フードロック装置
６２    操作ケーブル組付構造
６４Ａ  第一係止部
６４Ｂ  通し部
【図１】
2010275725.tif 000003
【図２】
2010275725.tif 000004
【図３】
2010275725.tif 000005
【図４】
2010275725.tif 000006
【図５】
2010275725.tif 000007
【図６】
2010275725.tif 000008
【図７】
2010275725.tif 000009